(57)【要約】【課題】装置間の流量変動の監視を正確にかつ効率良く行い、監視負荷を低減することを可能とする流量監視システム、流量監視方法、当該方法を実行させるためのプログラムを記録したコンピュータ読み取り可能な記録媒体、及び当該方法を実行するためのプログラムを提供すること。【解決手段】流量計３０で測定される流量変動の監視を行う流量監視システムであって、流量計３０で測定された流量データの積算値を取得する積算値取得手段２と、該積算値の差し引き計算を行って単位時間あたりの流量に換算する流量換算手段３と、該換算された単位時間あたりの流量が所定の流量範囲内にあるかを判定する判定手段４を備えることを特徴とする流量監視システム、流量監視方法、当該方法を実行させるためのプログラムを記録したコンピュータ読み取り可能な記録媒体、及び当該方法を実行するためのプログラム。【選択図】  図２
2004361117.tif 000002
【特許請求の範囲】
【請求項１】
流量計で測定される流量変動の監視を行う流量監視システムであって、流量計で測定された流量データの積算値を取得する積算値取得手段と、該積算値の差し引き計算を行って単位時間あたりの流量に換算する流量換算手段と、該換算された単位時間あたりの流量が所定の流量範囲内にあるかを判定する判定手段を備えることを特徴とする流量監視システム。
【請求項２】
請求項１記載の流量監視システムにおいて、前記判定手段は、前記流量換算手段により換算された単位時間あたりの流量が所定の流量範囲内でない場合に異常ありと判定することを特徴とする流量監視システム。
【請求項３】
請求項１または請求項２の流量監視システムにおいて、前記単位時間あたりの流量が、設定した任意時間の監視周期で計算された計算流量を２４時間あたりの流量に換算したものであることを特徴とする流量監視システム。
【請求項４】
請求項１ないし請求項３の何れかに記載の流量監視システムにおいて、流量換算手段により換算された単位時間あたりの流量と、判定手段により判定された判定結果が画面上に表示されることを特徴とする流量監視システム。
【請求項５】
装置間取引流量計の流量変動を監視する流量監視方法であって、流量計で測定された流量データの積算値を取得する積算値取得手順と、該積算値の差し引き計算を行って単位時間あたりの流量に換算する流量換算手順と、該換算された単位時間あたりの流量が所定の流量範囲内にあるかを判定する判定手順を備え、前記判定手順は、前記流量換算手順により換算された単位時間あたりの流量が所定の流量範囲内でない場合に異常ありと判定することを特徴とする流量監視方法。
【請求項６】
請求項５記載の流量監視方法を実行させるためのプログラムを記録したことを特徴とするコンピュータ読み取り可能な記録媒体。
【請求項７】
請求項５記載の流量監視方法をコンピュータに実行させるためのプログラム。
【発明の詳細な説明】
【０００１】
【発明の属する技術分野】
本発明は、流量変動の激しい流体を監視する場合に好適に使用可能な流量監視システム、流量監視方法、当該方法を実行させるためのプログラムを記録したコンピュータ読み取り可能な記録媒体、及び当該方法を実行するためのプログラムに関する。
【０００２】
【背景技術】
従来より、ＢＴＸ（ベンゼン／トルエン／キシレン）等の芳香族炭化水素の製造プラントでは、装置間の管路等に流量計を設置して（装置間取引流量計）、かかる装置間取引流量計により装置間の流体の流量を計測することにより、流体の流量の監視及び装置の運転条件の調整を行っていた（例えば、特許文献１）
【０００３】
このような装置間取引流量計によって計測される流量の管理については、例えば、装置の運転条件から流量の管理範囲が定められ、その上下限値に余裕しろを加えた範囲を許容範囲として設定し、かかる範囲内になるように流量監視及び運転条件の調整が行われていた。
【０００４】
図５は、装置間取引流量計を用いた従来の流量の管理手段を示したフローチャートであり、装置間取引流量計によって、一定時間毎または連続的に流量データを測定し（Ｓ１´）、計測された流量が設定された許容範囲内である場合にはそのまま運転を継続される（Ｓ２´、Ｓ３´）。一方、流量が許容範囲外であった場合には、アラーム（警告）が発報され（Ｓ４´）、かかるアラームが発報されると、監視員（ボードマン）は、当該アラームの確認と流量を管理範囲内へ復帰させるための運転調整操作をその都度行っていた（Ｓ５´）。そして、このような管理が実行周期毎に行われていた。
【０００５】
【特許文献１】
特開平６−１９２１４１号公報（第１頁−第４頁）
【０００６】
【発明が解決しようとする課題】
しかしながら、このような従来の流量監視手段にあっては、流量管理の許容範囲が狭い場合が多く、また、流量の実測データを直接的に用いて監視を行っていたため、瞬間的な流量変動であってもアラームが発報されてしまっていた。実際は、このような瞬間的な流動変動は、装置の実質的な異常には至らないことが殆どなのであるが、かかるアラーム発報であっても、監視員は流量が管理範囲外となることを防止する必要があるため、運転条件の調整操作を実施することとなっていた。そして、アラームが頻発してしまうと、その対応と調整実施回数が増加してしまい、監視員の業務負担の増加となってしまっていた。
【０００７】
一方、このような業務負担の増加を回避すべく、アラームを発報させないように余裕を持たせた運転条件調整とした場合にあっては、用役等を含めコストミニマムの最適運転管理とはいえなくなり、好ましいものではなかった。
【０００８】
更には、装置間の流量監視においては、１日単位の正確な流量（総流量）の把握も必要とされていたが、従来の流量監視手段にあっては、かかる把握は困難であるため、必ずしも満足のいくものが得られていなかったのが実状であった。
【０００９】
従って、本発明の目的は、装置間の流量変動の監視を正確にかつ効率良く行い、監視負荷を低減することを可能とする流量監視システム、流量監視方法、当該方法を実行させるためのプログラムを記録したコンピュータ読み取り可能な記録媒体、及び当該方法を実行するためのプログラムを提供することにある。
【００１０】
【課題を解決するための手段】
前記の目的を達成するために、本発明の流量監視システムは、流量計で測定される流量変動の監視を行う流量監視システムであって、流量計で測定された流量データの積算値を取得する積算値取得手段と、該積算値の差し引き計算を行って単位時間あたりの流量に換算する流量換算手段と、該換算された単位時間あたりの流量が所定の流量範囲内にあるかを判定する判定手段を備えることを特徴とするものである。
【００１１】
本発明の流量監視システムは、前記したように、流量計で測定される流量変動の監視を行うものであって、積算値取得手段、流量換算手段、及び判定手段を基本構成としている。
このうち、流量換算手段では、流量データの積算値の差し引き計算を行い、単位時間あたりの流量（単位時間換算流量）に換算する処理が行われるが、当該処理が実行される周期（実行周期）は、適宜決定することができる。そして、前記の積算値取得手段における流量データの積算値の取得も、同様な実行周期により流量換算手段と連動して行われる。
【００１２】
また、流量計は、例えば、ＢＴＸ（ベンゼン／トルエン／キシレン）等の芳香族炭化水素の製造装置における装置間の管路等に設置され、かかる管路等を通過する芳香族炭化水素の流量データを測定するものである。その形式や仕様は特に制限はなく、公知の流量計を使用することができる。
なお、本発明の流量監視システムは、流量計として、いわゆる装置間取引流量計といわれる、流量管理範囲が狭い流量計であっても好適に使用することができるものである。
【００１３】
積算値取得手段は、流量計で測定された流量データの積算値を取得するものであり、流量データの積算値は、流量積算機能（ＳＵＭ機能）を利用して求めることが好ましい。
ここで、流量積算機能（ＳＵＭ機能）とは、一般に、流量計で測定された流量データに対して、流量計の任意のスキャンタイム毎に８桁のデータで積算値をカウントして、積算値（ＳＵＭ値）として表示する機能である。
そして、この積算値取得手段で取得された流量データの積算値はレジスタ（データ蓄積機能）に読み込まれ、記憶されることになる。
【００１４】
次に、流量換算手段は、前記した積算値取得手段にて取得された流量データの積算値の差し引き計算を行い、単位時間あたりの流量に換算するものである。
流量換算手段においては、まず、前記したレジスタ（データ蓄積機能）に読み込み、記憶された流量データの積算値（ＳＵＭ値）の差し引き計算が行われることになるため、流量換算手段は、当該積算値を読み込み、記憶して計算処理する機能を有することが好ましい。
【００１５】
また、流量換算手段において、データを読み込み、記憶して差し引き計算が実行される周期（実行周期）は、前記したように適宜決定することができ、また、積算値取得手段における流量データの積算値の取得も、前記したように、同様な実行周期により連動して行われる。一般には、かかる実行周期は、数秒から数分程度としておけばよく、システムの起動・運転中、かかる処理実行の周期を任意の周期で行うように適宜設定・変更してもよい。
【００１６】
流量換算手段では、このように積算値の読み込みや記憶（以下、「蓄積」ということもある）を行うのであるが、流量換算手段にある程度の量の積算値が蓄積された状態とした後に、蓄積と差し引き計算を並行して行い、単位時間あたりの流量に換算することが、結果の正確性の面などから好ましい。
従って、システム起動の初期においては、まず積算値の蓄積のみを行って、ある程度の積算値が蓄積されたら、積算値の蓄積と差し引き計算を並行して行い、単位時間あたりの流量を換算することが望ましい。
【００１７】
以下、単位時間あたりの流量（単位時間換算流量）を算出する手段の一例を、図１を用いて説明する。
図１は、時間の経過に対する流量データの変化、及び流量データの積算値（ＳＵＭ値）の変化の一例を示した概念図である。
図１からわかるように、時間の変化に伴い流量データは随時変化するものであるが、積算値（ＳＵＭ値）は積算値であるため常に増加する一方、測定される流量データが少なければ積算値（ＳＵＭ値）の増加量は少なく、流量データが多ければ積算値（ＳＵＭ値）の増加量も多くなっていく。
【００１８】
ここで、任意の周期時間（監視周期）のＳＵＭ値変化量から、計算流量Ｆが求められる。図１において、時間Ｔ１におけるＳＵＭ値をＳＵＭ１、時間Ｔ２におけるＳＵＭ値をＳＵＭ２とすると、計算流量Ｆは下記の式（Ｉ）で表される。
【００１９】
【数１】
2004361117.tif 000003
ここで、ΔＳＵＭ＝ＳＵＭ２−ＳＵＭ１
ΔＴ＝Ｔ２−Ｔ１
【００２０】
このようにして、任意の監視周期に対して求められた計算流量Ｆを、単位時間当たりの流量に換算して単位時間換算流量を求めればよい。
なお、単位時間としては、前記した芳香族炭化水素等の製造装置の流量測定や流量変動の監視においては、１日あたりの流量を必要とする場合が多いため、１日（２４時間）を単位時間として流量を換算することが好ましい。
また、監視周期としては、任意の時間を適宜設定すればよいが、前記した単位時間換算流量を求めやすいものとすることが好ましく、例えば、単位時間を１日（２４時間）とした場合にあっては、監視周期は、８時間程度とすることが好ましい。対象として選定した流量の単位時間が１日（２４時間）である場合は、流量の変動が発生し、異常と判定された場合でも、監視周期を８時間として実施しているため、１日（２４時間）以内に規定された流量範囲内に十分復帰することができる。また、換算についても、８時間を監視周期として求められた計算流量Ｆを２４時間あたりのもの（３倍）すればよく、簡便に求められる。
【００２１】
更には、流量換算手段では、実行周期毎に、積算値取得手段で取得された流動データの積算値が準じ蓄積されていくので、実行周期毎に差し引き計算を行う必要がある。
すなわち、差し引き計算により、流動データの積算値（ＳＵＭ値）が実施周期毎に新規の流量データの積算値が蓄積していき、その一方でそれよりも監視周期分だけ遡った流量データの積算値が除去される（両者が差し引かれる）。このように新規に蓄積される流量データの積算値と、それより実行周期分前の積算値が置換されて差し引き計算が行われることにより、実行周期毎に新規の計算流量Ｆが求められることになる。
そして、かかる新規の計算流量Ｆをもとに、随時単位時間あたりの流量（単位時間換算流量）に換算していくことにより、実行周期毎の新規の単位時間換算流量が求められていくのである。
【００２２】
そして、判定手段は、前記した流量換算手段により換算された単位時間換算流量が所定の流量範囲内にあるかを判定する。
また、判定手段における判断手法としては、例えば、単位時間換算流量が、あらかじめ設定された所定の流量範囲外であった場合には、異常があると判定し、当該流量範囲内であった場合には、正常であると判定するものとすればよい。
そして、単位時間換算流量と、判定手段により判定された判定結果は、例えば、監視画面上に表示され、また、アラーム（警告）が警報されることにより、監視員に報告されることになる。
【００２３】
このような本発明によれば、流量データの積算値（ＳＵＭ値）に基づく単位時間あたりの流量（単位時間換算流量）を用いて、装置間の流量変動の監視を行っているから、流量の瞬間的な変動による閾値を超えた場合のアラームの発報等を防止することができる。従って、装置間の流量変動の監視を正確にかつ効率良く行うことができ、監視員の監視負荷を大幅に低減することができる流量監視システムを提供することができる。
また、単位時間換算流量を算出することができるため、例えば１日単位の正確な流量の把握も簡便に行うことができる。
【００２４】
本発明の流量監視システムは、判定手段が、流量換算手段により換算された単位時間あたりの流量が所定の流量範囲内でない場合に異常ありと判定することができる。
この発明によれば、判定手段が、流量換算手段により換算された単位時間あたりの流量が所定の流量範囲内でない場合に異常ありと判定するため、従来の瞬間時での流量を監視する手段と比較して、異常発生及びアラーム発報の頻度が減少し、より一層の監視負担の軽減を図ることができる。
また、単位時間換算流量とあらかじめ設定した所定の流量範囲を判定の対象としているため、判定基準が明確であり、装置間の変動流量の監視を客観的にかつ迅速に行うことができる。
【００２５】
本発明の流量監視システムは、単位時間あたりの流量が、設定した任意時間の監査周期で計算された計算流量を２４時間あたりの流量に換算したものとすることができる。
この発明によれば、単位時間換算流量として２４時間換算流量を用いているため、２４時間（１日）単位の流量を正確に把握することができるとともに、１日単位の流動変動を好適に監視することができる。また、２４時間（１日）単位の流量に対しての影響を予測できるようになり、先を見越した運転条件の調整も容易となる。
また、監視周期を設定した任意時間、例えば８時間として計算流量を算出するため、計算流量を簡便に測定することができるほか、２４時間換算流量算流量への換算が容易となる。
【００２６】
本発明の流量監視システムは、流量換算手段により換算された単位時間あたりの流量と、判定手段により判定された判定結果が画面上に表示することができる。
この発明によれば、単位時間あたりの流量（単位時間換算流量）と判定結果の情報が画面上に表示されるため、外部に対するかかる情報の通知を確実に行うことができ、監視員等が単位時間換算流量と判定結果を容易に確認することができ、監視作業の効率化を図ることを可能とする。
【００２７】
また、本発明は、前記した流量監視システムとしての構成だけでなく、積算値取得手順、流量換算手順、判定手順を備え、該判定手順が前記流量換算手順により換算された単位時間あたりの流量（単位時間換算流量）が所定の流量範囲内でない場合に異常ありと判定するコンピュータで実施される流量監視方法、当該流量監視方法を実行させるためのプログラムを記録したコンピュータ読み取り可能な記録媒体、及び当該流量監視方法をコンピュータに実行させるためのプログラムとして構成させることができる。
【００２８】
ここで、各手順は１つのコンピュータ上で実施してもよいが、一連の手順を複数のコンピュータで実施するようにしてもよく、また、一の手順を複数のコンピュータが協働するようにして実施してもよい。
このような本発明によれば、前記した作用及び効果と同様の作用及び効果を享受可能とすることに加えて、例えば、プログラムとして構成することにより、当該プログラムを汎用のコンピュータにインストールするだけで、本発明のシステムを構成することができるので、汎用性が大幅に向上することになる。
【００２９】
【発明の実施の形態】
以下、本発明の実施の一形態を図面に基づいて説明する。
図２には、本実施形態に係る流量監視システムのブロック構成図が示されている。この流量監視システムは、例えば、ＢＴＸ（ベンゼン／トルエン／キシレン）等の芳香族炭化水素の製造装置に適用されるものである。
【００３０】
この図２において、流量計３０の流量変動を監視する流量監視システムは、運転管理システム１０を主構成とするものである。また、かかる運転管理システム１０は、監視対象とされる装置間取引流量計等の流量計３０から流量データを受け取り、当該流量データを積算値に換算する積算値収集手段２と、かかる流量データの積算値を差し引き計算して単位時間あたりの流量（単位時間換算流量）を換算する流量換算手段３と、かかる単位時間換算流量が所定の流量範囲内にあるかを判定し、判定結果を表示部７に表示するとともに、分散制御システム内２０のアラーム発報部２２に送信する判定手段４からなるものである。
ここで、図２の運転管理１０システムにおいては、分散制御システム２０内の流量積算機能（ＳＵＭ機能）２１を用いて、測定部である流量計３０で得られる流量データから流量データの積算値を取得している。そして、かかる流量データの積算値が運転管理システム１０に送られ、レジスタ５内に蓄積されることになる。なお、運転管理システム１０内のレジスタ５に蓄積された全データは、連接されたハードディスク４０内に保存される。
【００３１】
このような運転管理システム１０は、演算処理装置（計算処理装置）及び記録装置を備えたコンピュータとして構成され、運転管理システム１０を構成する各構成要素（積算値取得手段２、流量換算手段３、判定手段４、及び異常通知手段６）は、かかるコンピュータの演算処理装置上に展開されるプログラムとして構成され、運転管理システム１０（コンピュータ）に制御される。従って、前記した各構成要素は常に装置として一体的に構成されている必要はなく、プログラムをＣＤ−ＲＯＭ等の記録媒体に記録しておき、汎用コンピュータにインストールして利用してもよい。
【００３２】
前記した図２に示される本実施形態の流量監視システムは、具体的には、以下のような手順で装置間の流量の管理が行われる。
まず、分散制御システム（Ｄｉｓｔｒｉｂｕｔｅｄ  Ｃｏｎｔｒｏｌ  Ｓｙｓｔｅｍ、以下、「ＤＣＳ」とする）２０における流量データの入力及び積算値への換算は、例えば、ＣＥＮＴＵＭ−ＸＬ（横河電機（株）製）等を用いることができ、流量監視システムの起動後、かかるＤＣＳ２０に対して積算値の取得命令が出され、ＤＣＳ２０は、製造装置の管路に設置された流量計３０から流量データを取得し、ＤＣＳ２０に設定された積算機能（ＳＵＭ機能）２１により、流量計３０で測定された流量データの積算値（ＳＵＭ値）を換算する。
【００３３】
運転管理システム１０内の積算値取得手段２においては、前記した流量データの積算値を取得し、また、流量換算手段３では、前記した積算値取得手段２により得られた流量データの積算値の差し引き計算を行って、単位時間あたりの流量に換算している。これらの手段は、積算値の蓄積機能と差し引き計算手段を備えた運転管理コンピュータより構成することができ、例えば、ＰＨＤ（Ｐｒｏｃｅｓｓ  Ｈｉｓｔｏｒｙ  Ｄａｔａｂａｓｅ）（Ｈｏｎｅｙｗｅｌｌ社製）等を用いて実施することができる（以下、運転管理システム１０を、便宜的に「ＰＨＤ」とすることもある）。
また、流量データの積算値の蓄積や差し引き計算を実施するにおいて、流量データの積算値の読み込みや記憶を行うには、前記したＰＨＤの基本機能であるデータ蓄積機能（レジスタ５）を用いて実施させることができる。
なお、本実施形態における、蓄積された流量データの積算値を差し引き計算して、単位時間あたりの流量に換算する処理の実行周期は、１分周期で実行されるように設定されており、前記の積算値取得手段２における流量データの積算値（ＳＵＭ値）の取得も、同様な実行周期（１分）により連動して行われる。かかる処理の実行周期については、前記の計算処理プログラム内で簡便に変更することができ、また、任意の実行周期で行うように適宜設定・変更することができる。
【００３４】
また、流量換算手段３に対しては、実行周期である１分毎に流量データの積算値（ＳＵＭ値）が読み込まれることになるが、データ蓄積機能（レジスタ５）にはある程度の量とした流量データの積算値を蓄積することが望ましいため、本実施形態の換算手段は、流量データの積算値について、監視周期を８時間とし、流量監視システムの起動後８時間は、流量データの積算値の蓄積のみを行い、起動後８時間が経過したら、流量データの積算値の蓄積と、当該積算値の差し引き計算を行うようにしている。
そして、監視周期を任意時間として８時間とした場合における２４時間あたりの流量（２４時間換算流量）に換算する計算を実施するように設定されている。
【００３５】
また、流量換算手段３における計算処理は、計算処理プログラムを作成し、実行させればよい。計算処理プログラムは、任意の監視周期における流量データの積算値（ＳＵＭ値）の変化量を計算することによって、任意の監視周期に対する流量Ｆを計算する。
例えば、入力される時間Ｔ１における積算値（ＳＵＭ値）をＳＵＭ１、時間Ｔ２における積算値（ＳＵＭ値）をＳＵＭ２とすると、計算流量Ｆは下記の式（Ｉ）で表される。
【００３６】
【数２】
2004361117.tif 000004
ここで、ΔＳＵＭ＝ＳＵＭ２−ＳＵＭ１
ΔＴ＝Ｔ２−Ｔ１
【００３７】
本実施形態においては、監視周期は８時間であるから、常に８時間あたりの計算流量Ｆが求められることになり、これを２４時間あたりの流量（２４時間換算流量）に換算することにより、２４時間換算流量が求められることになる。
また、本実施形態において、この２４時間換算流量は、実行周期である１分毎に積算値取得手段２にて流量データの積算値が取得されるため、流量換算手段３においては、１分毎に新規の流量データの積算値が蓄積していき、それより８時間（監視周期）前の流量データの積算値が除去されていくとともに、差し引き計算が行われて、これも１分毎に新規の２４時間換算流量が求められることになる。
【００３８】
そして、判定手段４は、前記した流量換算手段３により換算された単位時間あたりの流量が所定の流量範囲内にあるかを判定する。
本実施形態における判定手段は、流量換算手段３により換算された２４時間換算流量が、あらかじめ設定された所定の流量範囲外であった場合には、異常であると判定し、当該流量範囲内であった場合には、正常であると判定するものとしている。
判定結果は、運転管理システム１０（ＰＨＤ）内の異常通知手段６に送られ、２４時間換算流量と、判定手段４により判定された判定結果は、ＰＨＤ１０内に設けられた監視画面上（表示部７）に表示されるとともに、ＤＣＳ２０側に判定結果の信号が送信される。
【００３９】
図３は、運転管理システム（ＰＨＤ）１０内に設けられた、２４時間換算流量及び判定結果を表示する監視画面（表示部７）の一例を示した概略図である、監視画面（表示部７）上には、２４時間換算流量、流量範囲の上限値と下限値、判定結果が表示される。また、同時に、システム点検メンテナンス及び監視対象流量計の点検補修等の対応としてシステム監視状態から切り離す監視バイパススイッチも表示されている。
【００４０】
本実施形態においては、ＤＣＳ２０に判定結果受信用スイッチタグ（図示しない）が設定されている。ＤＣＳ２０に設定された判定結果受信用スイッチタグは、異常通知手段６より「異常」の信号を受信すると、アラーム発報部２２を介してアラーム（警告）を発報するとともに、ＤＣＳ２０に設けられた画面上（図示しない）にオペレーションガイドメッセージを表示することを求める信号を送信する機能を有するものであり、当該判定結果データ受信用タグは、通常は「オフ／ＯＦＦ」の状態とされている。
【００４１】
従って、例えば、２４時間換算流量が所定の流量範囲内であり、ＰＨＤ１０から送信された判定結果の信号が「正常」であれば、判定結果受信用スイッチタグは「オフ／ＯＦＦ」の状態を保持し、ＤＣＳ２０側には何も表示されないこととなる。
一方、２４時間換算流量が所定の流量範囲外となった場合には、ＰＨＤ１０からの判定結果として「異常」の信号がＤＣＳ２０側に送信され、前記した機能により、ＤＣＳ２０の判定結果受信用スイッチタグが「オン／ＯＮ」となる。
当該スイッチタグが「オン／ＯＮ」の状態となることにより、ＤＣＳ２０の画面にオペレーションガイドメッセージを表示するとともにアラーム発報部２２からアラームが発報され、監視員（ボードマン）に運転調整を要求することとなる。
【００４２】
更には、判定結果が異常となり、その状態が一定時間継続する場合には、システム実行周期の１分毎にＤＣＳのオペレーションガイドを発報して、所定範囲の流量内に復帰するまでボードマンに通知、調整を要求してもよい。
【００４３】
前記した流量監視システムによる流量変動の監視の一態様は、図４に示されたフローチャートに従い、以下のような手順で行われる。なお、かかる手順は、実行周期である１分毎に行われるものである。
【００４４】
（ｉ）流量管理システムを起動し、まず、積算値取得手段２が、流量データの積算値の取得命令をＤＣＳ２０側に発令する（Ｓ１）。積算値取得手段２の発令に従い、ＤＣＳ２０が測定部である流量計３０から流量データを取得し、流量積算機能（ＳＵＭ機能）２１を用いて、流量データの積算値を取得する（Ｓ２）。
【００４５】
（ｉｉ）流量換算手段３が、ＰＨＤ１０内の処理プログラムにて、取得された流量データの積算値をレジスタ５に蓄積する（Ｓ３）。起動後８時間が経過するまでは積算値の蓄積のみを行い、８時間が経過したら、積算値の蓄積と差し引き計算を並行して行い（Ｓ４、Ｓ５）、監視周期（８時間）あたりの計算流量を算出する（Ｓ６）。
（ｉｉｉ）監視周期（８時間）あたりの計算流量が算出されたら、流量換算手段３が、かかる計算流量から２４時間換算流量を換算する（Ｓ７）。
【００４６】
（ｉｖ）換算された２４時間換算流量を用いて、判定手段４が、２４時間換算値が所定の流量範囲内かを判定する（Ｓ８）。２４時間換算流量が所定の流量範囲内である場合には、判定手段４は、当該換算流量を「正常」と判定する（Ｓ９）。
【００４７】
（ｖ）２４時間換算流量が所定の流量範囲外であった場合には、判定手段４は、当該換算流量を「異常」と判定し（Ｓ１０）、異常通知手段６を介して表示部７に異常判定が表示されるとともに、アラームが発報され、監視員に運転調整を要求する（Ｓ１１）。
【００４８】
前記した本態様の流量監視システムによれば、次のような効果を得ることができる。
（１）流量データの積算値（ＳＵＭ値）に基づいて、２４時間換算流量により製造装置間の流量変動の監視を行うため、流量の瞬間的な変動によるアラームの発報等を確実に防止することができる。従って、製造装置間の流量変動の監視を正確にかつ効率良く行うことができ、監視員（ボードマン）の監視負荷を大幅に低減することができる流量監視システムを提供することができる。
（２）単位時間換算流量として、２４時間換算流量を算出しているため、１日単
位の正確な流量の把握も簡便に行うことができる。また、１日単位の流動変動についても監視することができる。
【００４９】
（３）判定手段４が、流量換算手段３により換算された２４時間換算流量が所定の流量範囲内でない場合に異常ありと判定しているため、従来の瞬時での流量監視と比較して、異常発生及びアラーム発報の頻度が減少して、監視員の監視負担の軽減を図ることができる。また、判定基準が明確であるため、装置間の変動流量の監視を客観的にかつ迅速に行うことができる。
（４）監視周期を８時間として計算流量Ｆを算出している、計算流量Ｆを簡便に測定することができるほか、２４時間換算流量への換算が容易となる。
（５）２４時間換算流量と判定結果の情報が表示部７に表されるため、外部に対するかかる情報の通知を確実に行うことができ、監視員等が２４時間換算流量と判定結果を容易に確認でき、監視作業のより一層の効率化を図ることができる。
【００５０】
なお、以上説明した態様は、本発明の一態様を示したものであって、本発明は、前記した実施形態に限定されるものではなく、本発明の目的及び効果を達成できる範囲内での変形や改良が、本発明の内容に含まれるものであることはいうまでもない。また、本発明を実施する際における具体的な構造及び形状等は、本発明の目的及び効果を達成できる範囲内において、他の構造や形状等としてもよい。
【００５１】
例えば、前記した実施形態では、実行周期（１分）、監視周期（８時間）を特定して２４時間換算流量を換算したが、これには限定されず、実行周期や監視周期は任意の値としてシステムを運転することができる。また、単位時間当たりの流量も、２４時間換算流量を適用したが、かかる単位時間も任意の時間を用いることができる。
【００５２】
また、前記した実施形態では、流量計３０の流量変動を監視する流量監視システムとして、運転管理システム１０を主構成とし、また、分散制御システム２０内の流量積算機能（ＳＵＭ機能）２１を用いて、測定部である流量計３０で得られる流量データから流量データの積算値を取得している態様を示したが、これには限定されず、積算値取得手段２，流量換算手段３及び判定手段４を主要部とするものであれば、その形式や仕様は特に制限はない。
【００５３】
そして、前記した実施形態では、本発明の流量監視システムを、ＢＴＸ（ベンゼン／トルエン／キシレン）製造装置に適用した例を示したが、これには限定されず、例えば、流体の流動変動が激しい管路、配管をもった各種装置に適用してもよい。また、本発明のシステムは、ベンゼン、トルエン、キシレンの単独の製造装置に適用しても好適に効果を奏することはいうまでもない。
その他、本発明の実施における具体的な構成及び手順は、本発明の目的を達成できる範囲で他の構成としてもよい。
【００５４】
【発明の効果】
このような本発明によれば、流量データの積算値に基づく単位時間換算流量を用いて、装置間の流量変動の監視を行っているから、流量の瞬間的な変動による閾値を超えた場合のアラームの発報等を防止することができる。従って、装置間の流量変動の監視を正確にかつ効率良く行うことができるとともに、監視員の監視負荷を大幅に低減することができるとする点で有効である。
また、単位時間換算流量を２４時間換算流量とすることにより、２４時間（１日）単位の流量を正確に把握することができるとともに、１日単位の流動変動を監視することができるものである。
【００５５】
従って、本発明は、ＢＴＸ（ベンゼン／トルエン／キシレン）等の芳香族炭化水素等の製造装置における流量監視システムとして、有利に使用することができるものである。
【図面の簡単な説明】
【図１】時間の経過に対する流量データの変化、及び流量データの積算値（ＳＵＭ値）の変化の一例を示した概念図である。
【図２】本発明の流量換算システムの構成の一態様を示したブロック図である。
【図３】図２の実施形態において、２４時間換算流量及び判定結果を表示する監視画面の一例を示した概略図である
【図４】図２の実施形態において、本発明の流量換算システムの手順を示すフローチャートである。
【図５】従来の流量の管理手段を示したフローチャートである。
【符号の説明】
２    積算値取得手段
３    流量換算手段
４    判定手段
５    レジスタ
６    異常通知手段
７    表示部
１０  運転管理システム（ＰＨＤ）
２０  分散制御システム（ＤＣＳ）
３０  流量計
【図１】
2004361117.tif 000005
【図２】
2004361117.tif 000006
【図３】
2004361117.tif 000007
【図４】
2004361117.tif 000008
【図５】
2004361117.tif 000009